【手続補正書】
【提出日】平成17年9月2日(2005.9.2)
【手続補正１】
【補正対象書類名】明細書
【補正対象項目名】発明の名称
【補正方法】変更
【補正の内容】
【発明の名称】血流動態解析装置、方法、及び画像診断装置
【手続補正２】
【補正対象書類名】明細書
【補正対象項目名】特許請求の範囲
【補正方法】変更
【補正の内容】
【特許請求の範囲】
【請求項１】
断層像撮影手段により撮影された断層像を入力する入力手段と、
この入力手段により入力された断層像の各画素の時間変化の情報を表す時間−濃度曲線を求める第１の演算手段と、
この第１の演算手段により求められた断層像の各画素の時間−濃度曲線から流入動脈の時間−濃度曲線を抽出する第２の演算手段と、
この第２の演算手段により抽出された流入動脈の時間−濃度曲線から逆フィルタ関数を求める第３の演算手段と、
この第３の演算手段により求められた逆フィルタ関数と前記第１の演算手段により求められた断層像の各画素の時間−濃度曲線に基づき前記断層像の各画素の伝達関数を求める第４の演算手段と、
この第４の演算手段により求められた前記断層像の各画素の伝達関数を用いて血流動態解析像を求める第５の演算手段と、
を備えたことを特徴とする血流動態解析装置。
【請求項２】
前記第３の演算手段は、前記求められた逆フィルタ関数の高周波成分を制御する高周波制御フィルタ手段を備えたことを特徴とする請求項１に記載の血流動態解析装置。
【請求項３】
前記高周波制御フィルタ手段は、前記第２の演算手段に抽出された流入動脈の時間―濃度曲線からフィルタ関数を求めるフィルタ関数演算手段を備えたことを特徴とする請求項２に記載の血流動態解析装置。
【請求項４】
前記入力手段により入力された断層像のうちの最大連結画素領域を抽出する手段と、この抽出手段により抽出された最大連結画素領域に基づき前記入力手段から入力される断層像のうち血流動態解析に不要な領域を除去する手段と、を備えたことを特徴とする請求項１に記載の血流動態解析装置。
【請求項５】
前記不要領域は、ルームエアー、寝台、及び骨を含むことを特徴とする請求項４に記載の血流動態解析装置。
【請求項６】
前記入力手段により入力された断層像の各画素の時間−濃度曲線から流出静脈の時間−濃度曲線を求めるとともに、その求められた流入動脈の時間−濃度曲線及び前記流出静脈の時間−濃度曲線のピーク値をそれぞれ求める手段と、前記求められた流入動脈の時間−濃度曲線のピーク値と前記流出静脈の時間―濃度曲線のピーク値とが一致するように流入動脈の時間−濃度曲線におけるパーシャルボリュームアベレージング効果を補正する補正手段と、を備えたことを特徴とする請求項１に記載の血流動態解析装置。
【請求項７】
断層像撮影装置により撮影された断層像を入力する入力ステップと、
この入力ステップにより入力された断層像の各画素の時間変化の情報を表す時間−濃度曲線を求める第１の演算ステップと、
この第１の演算ステップにより求められた断層像の各画素の時間−濃度曲線から流入動脈の時間−濃度曲線を抽出する第２の演算ステップと、
この第２の演算ステップにより抽出された流入動脈の時間−濃度曲線から逆フィルタ関数を求める第３の演算ステップと、
この第３の演算ステップにより求められた逆フィルタ関数と前記第１の演算ステップにより求められた断層像の各画素の時間−濃度曲線に基づき前記断層像の各画素の伝達関数を求める第４の演算ステップと、
この第４の演算ステップにより求められた前記断層像の各画素の伝達関数を用いて血流動態解析像を求める第５の演算ステップと、
を含むことを特徴とする血流動態解析方法。
【請求項８】
前記第３の演算ステップは、前記求められた逆フィルタ関数の高周波成分を制御する高周波制御フィルタステップを含むことを特徴とする請求項７に記載の血流動態解析方法。
【請求項９】
前記高周波制御フィルタステップは、前記第２の演算ステップに抽出された流入動脈の時間―濃度曲線からフィルタ関数を求めるフィルタ関数演算ステップを含むことを特徴とする請求項８に記載の血流動態解析方法。
【請求項１０】
前記入力ステップにより入力された断層像のうちの最大連結画素領域を抽出するステップと、この抽出ステップにより抽出された最大連結画素領域に基づき前記入力ステップから入力される断層像のうち血流動態解析に不要な領域を除去するステップと、を含むことを特徴とする請求項７に記載の血流動態解析方法。
【請求項１１】
前記不要領域は、ルームエアー、寝台、及び骨を含むことを特徴とする請求項１０に記載の血流動態解析方法。
【請求項１２】
前記入力ステップにより入力された断層像の各画素の時間−濃度曲線から流出静脈の時間−濃度曲線を求めるとともに、その求められた流入動脈の時間−濃度曲線及び前記流出静脈の時間−濃度曲線のピーク値をそれぞれ求めるステップと、前記求められた流入動脈の時間−濃度曲線のピーク値と前記流出静脈の時間―濃度曲線のピーク値とが一致するように流入動脈の時間−濃度曲線におけるパーシャルボリュームアベレージング効果を補正する補正ステップと、を含むことを特徴とする請求項７に記載の血流動態解析方法。
【請求項１３】
生体から断層像を撮影可能な画像診断装置において、
前記撮影された断層像を入力する入力手段と、
この入力手段により入力された断層像の各画素の時間変化の情報を表す時間−濃度曲線を求める第１の演算手段と、
この第１の演算手段により求められた断層像の各画素の時間−濃度曲線から流入動脈の時間−濃度曲線を抽出する第２の演算手段と、
この第２の演算手段により抽出された流入動脈の時間−濃度曲線から逆フィルタ関数を求める第３の演算手段と、
この第３の演算手段により求められた逆フィルタ関数と前記第１の演算手段により求められた断層像の各画素の時間−濃度曲線に基づき前記断層像の各画素の伝達関数を求める第４の演算手段と、
この第４の演算手段により求められた前記断層像の各画素の伝達関数を用いて血流動態解析像を求める第５の演算手段と、
を備えたことを特徴とする画像診断装置。
【請求項１４】
前記第３の演算手段は、前記求められた逆フィルタ関数の高周波成分を制御する高周波制御フィルタ手段を備えたことを特徴とする請求項１３に記載の画像診断装置。
【請求項１５】
前記高周波制御フィルタ手段は、前記第２の演算手段に抽出された流入動脈の時間―濃度曲線からフィルタ関数を求めるフィルタ関数演算手段を備えたことを特徴とする請求項１４に記載の画像診断装置。
【手続補正３】
【補正対象書類名】明細書
【補正対象項目名】００２１
【補正方法】変更
【補正の内容】
【００２１】
【課題を解決するための手段】
前記問題を解決するために請求項１に係る血流動態解析装置は、断層像撮影装置により撮影された断層像を入力する入力手段と、この入力手段により入力された断層像の各画素の時間変化の情報を表す時間−濃度曲線を求める第１の演算手段と、この第１の演算手段により求められた断層像の各画素の時間−濃度曲線から流入動脈の時間−濃度曲線を抽出する第２の演算手段と、この第２の演算手段により抽出された流入動脈の時間−濃度曲線から逆フィルタ関数を求める第３の演算手段と、この第３の演算手段により求められた逆フィルタ関数と前記第１の演算手段により求められた断層像の各画素の時間−濃度曲線に基づき前記断層像の各画素の伝達関数を求める第４の演算手段と、この第４の演算手段により求められた前記断層像の各画素の伝達関数を用いて血流動態解析像を求める第５の演算手段と、を備えたことを特徴としている。
【手続補正４】
【補正対象書類名】明細書
【補正対象項目名】００２３
【補正方法】変更
【補正の内容】
【００２３】
請求項２に係る発明は、前記第３の演算手段は、前記求められた逆フィルタ関数の高周波成分を制御する高周波制御フィルタ手段を備えたことを特徴としている。
また、請求項３に係る発明は、前記高周波制御フィルタ手段は、前記第２の演算手段に抽出された流入動脈の時間―濃度曲線からフィルタ関数を求めるフィルタ関数演算手段を備えたことを特徴としている。
また、請求項４に係る発明は、前記入力手段により入力された断層像のうちの最大連結画素領域を抽出する手段と、この抽出手段により抽出された最大連結画素領域に基づき前記入力手段から入力される断層像のうち血流動態解析に不要な領域を除去する手段と、を備えたことを特徴としている。
また、請求項５に係る発明は、前記不要領域は、ルームエアー、寝台、及び骨を含むことを特徴としている。
また、請求項６に係る発明は、前記入力手段により入力された断層像の各画素の時間−濃度曲線から流出静脈の時間−濃度曲線を求めるとともに、その求められた流入動脈の時間−濃度曲線及び前記流出静脈の時間−濃度曲線のピーク値をそれぞれ求める手段と、前記求められた流入動脈の時間−濃度曲線のピーク値と前記流出静脈の時間―濃度曲線のピーク値とが一致するように流入動脈の時間−濃度曲線におけるパーシャルボリュームアベレージング効果を補正する補正手段と、を備えたことを特徴としている。
【手続補正５】
【補正対象書類名】明細書
【補正対象項目名】００２４
【補正方法】変更
【補正の内容】
【００２４】
また、請求項７に係る血流動態解析方法は、断層像撮影装置により撮影された断層像を入力する入力ステップと、この入力ステップにより入力された断層像の各画素の時間変化の情報を表す時間−濃度曲線を求める第１の演算ステップと、この第１の演算ステップにより求められた断層像の各画素の時間−濃度曲線から流入動脈の時間−濃度曲線を抽出する第２の演算ステップと、この第２の演算ステップにより抽出された流入動脈の時間−濃度曲線から逆フィルタ関数を求める第３の演算ステップと、この第３の演算ステップにより求められた逆フィルタ関数と前記第１の演算ステップにより求められた断層像の各画素の時間−濃度曲線に基づき前記断層像の各画素の伝達関数を求める第４の演算ステップと、この第４の演算ステップにより求められた前記断層像の各画素の伝達関数を用いて血流動態解析像を求める第５の演算ステップと、を含むことを特徴としている。
また、請求項８に係る発明は、前記第３の演算ステップは、前記求められた逆フィルタ関数の高周波成分を制御する高周波制御フィルタステップを含むことを特徴としている。
また、請求項９に係る発明は、前記高周波制御フィルタステップは、前記第２の演算ステップに抽出された流入動脈の時間―濃度曲線からフィルタ関数を求めるフィルタ関数演算ステップを含むことを特徴としている。
また、請求項１０に係る発明は、前記入力ステップにより入力された断層像のうちの最大連結画素領域を抽出するステップと、この抽出ステップにより抽出された最大連結画素領域に基づき前記入力ステップから入力される断層像のうち血流動態解析に不要な領域を除去するステップと、を含むことを特徴としている。
また、請求項１１に係る発明は、前記不要領域は、ルームエアー、寝台、及び骨を含むことを特徴としている。
また、請求項１２に係る発明は、前記入力ステップにより入力された断層像の各画素の時間−濃度曲線から流出静脈の時間−濃度曲線を求めるとともに、その求められた流入動脈の時間−濃度曲線及び前記流出静脈の時間−濃度曲線のピーク値をそれぞれ求めるステップと、前記求められた流入動脈の時間−濃度曲線のピーク値と前記流出静脈の時間―濃度曲線のピーク値とが一致するように流入動脈の時間−濃度曲線におけるパーシャルボリュームアベレージング効果を補正する補正ステップと、を含むことを特徴としている。
また、請求項１３に係る画像診断装置は、生体から断層像を撮影可能な画像診断装置において、前記撮影された断層像を入力する入力手段と、この入力手段により入力された断層像の各画素の時間変化の情報を表す時間−濃度曲線を求める第１の演算手段と、この第１の演算手段により求められた断層像の各画素の時間−濃度曲線から流入動脈の時間−濃度曲線を抽出する第２の演算手段と、この第２の演算手段により抽出された流入動脈の時間−濃度曲線から逆フィルタ関数を求める第３の演算手段と、この第３の演算手段により求められた逆フィルタ関数と前記第１の演算手段により求められた断層像の各画素の時間−濃度曲線に基づき前記断層像の各画素の伝達関数を求める第４の演算手段と、この第４の演算手段により求められた前記断層像の各画素の伝達関数を用いて血流動態解析像を求める第５の演算手段と、を備えたことを特徴としている。
また、請求項１４に係る発明は、前記第３の演算手段は、前記求められた逆フィルタ関数の高周波成分を制御する高周波制御フィルタ手段を備えたことを特徴としている。
また、請求項１５に係る発明は、前記高周波制御フィルタ手段は、前記第２の演算手段に抽出された流入動脈の時間―濃度曲線からフィルタ関数を求めるフィルタ関数演算手段を備えたことを特徴としている。